(57)【要約】
【課題】  天体の観察活動において、目的の星や星座を容易に見つけることができる。
【解決手段】  星座早見盤１０は、星座盤１１と、シート材１３と、保持部材１５とを備えている。星座早見盤１０は、雄型スナップファスナ１６ａと雌型スナップファスナ１６ｂとによって、保持部材１５のカバー１８がシート材１３に対し着脱可能となっている。保持部材１５のカバー１８には、緑色の半透明色を有する着色フィルムにより構成されたマスキング用観察窓２２が設けられている。この色は、３等星、４等星を示す第１の色と補色の関係にある。
【選択図】      図２
0003101318.tif 000002
【実用新案登録請求の範囲】
【請求項１】
星座を観察する際に用いられる星座早見盤であって、
支軸を中心に回転する回転板と、この回転板の表面を着脱自在に被覆するカバーとを備え、
前記カバーを半透明な着色フィルム又はシートにより構成するとともに、
前記回転板の表面には、着色フィルム又はシートと補色の関係にある第１の色で着色された第１の星と、前記第１の色と異なる第２の色で着色された第２の星とが図示されていることを特徴とする星座早見盤。
【請求項２】
前記第２の色は、前記着色フィルム又はシートと異なる色で着色されていることを特徴とする請求項１に記載の星座早見盤。
【請求項３】
前記第１の星は特定の等級以下の明るさの星により構成され、前記第２の星は前記特定の等級よりも明るい星により構成されていることを特徴とする請求項１又は２に記載の星座早見盤。
【請求項４】
前記第１の星は３等星以下の明るさの星により構成され、前記第２の星は２等星以上の明るさの星や特定の星座に含まれる３等星以下の明るさの星により構成されていることを特徴とする請求項１〜３のうちいずれか１項に記載の星座早見盤。
【請求項５】
星座を観察する際に手助けとなる情報を前記回転板の表面よりも前記カバーに多く設けたことを特徴とする請求項１〜４のうちいずれか１項に記載の星座早見盤。
【請求項６】
星座を観察する際に用いられる星座早見盤であって、
支軸を中心に回転する回転板を備え、
前記回転板の表面には複数種類の色で着色された複数個の星が図示され、前記星は夜空の星の色彩に近似した色で着色されていることを特徴とする星座早見盤。
【考案の詳細な説明】
【技術分野】
【０００１】
本考案は、星や星座の位置や動きを知るための主に理科教材として用いられる星座早見盤に関する。
【背景技術】
【０００２】
従来、円形を有する回転板と、この回転板を回動可能に保持する保持部材とを備えた星座早見盤が広く知られている。回転板上には、年間を通して観測可能な星や星座が表示されており、外周部には、一年の月日を示す月日目盛りが表示されている。又、保持部材には、回転板上の星や星座を見るための星座観察窓が設けられており、外周部には、前記月日目盛りと対応するように、時刻を時間単位で示す時刻目盛りが表示されている。使用者は、回転板を保持部材に対し所定量回転させて、月日目盛りと時刻目盛りとを観察日時に合わせることにより、該観察日時に観察される星や星座の位置を、保持部材の星座観察窓を介して知ることができる（例えば、特許文献１参照。）。
【特許文献１】登録実用新案第３０７９４４７号公報
【考案の開示】
【考案が解決しようとする課題】
【０００３】
ところが、上記構成によると、星座早見盤には、年間を通して観測可能な星や星座が網羅して表示されていることから、使用者が児童である場合に、目的の星や星座を容易に見つけることができないという問題があった。又、都会と郊外とでは、夜間の空の明るさが異なるため、肉眼で見える星と、星座早見盤に表示されている星とのギャップが大きく、天体の観察活動に支障をきたすという問題もあった。又、特徴的な色を持つ星が実際とは異なる色で表示されているという問題もあった。
【０００４】
本考案は、天体の観察活動において、目的の星や星座を容易に見つけることができる星座早見盤を提供することにある。
【課題を解決するための手段】
【０００５】
上記課題を解決するため、請求項１に記載の考案は、星座を観察する際に用いられる星座早見盤であって、支軸を中心に回転する回転板と、この回転板の表面を着脱自在に被覆するカバーとを備え、前記カバーを半透明な着色フィルム又はシートにより構成するとともに、前記回転板の表面には、着色フィルム又はシートと補色の関係にある第１の色で着色された第１の星と、前記第１の色と異なる第２の色で着色された第２の星とが図示されていることをその要旨とする。
【０００６】
請求項２に記載の考案は、請求項１に記載の考案において、前記第２の色は、前記着色フィルム又はシートと異なる色で着色されていることをその要旨とする。
請求項３に記載の考案は、請求項１又は２に記載の考案において、前記第１の星は特定の等級以下の明るさの星により構成され、前記第２の星は前記特定の等級よりも明るい星により構成されていることをその要旨とする。
【０００７】
請求項４に記載の考案は、請求項１〜３のうちいずれか１項に記載の考案において、前記第１の星は３等星以下の明るさの星により構成され、前記第２の星は２等星以上の明るさの星や特定の星座に含まれる３等星以下の明るさの星により構成されていることをその要旨とする。
【０００８】
請求項５に記載の考案は、請求項１〜４のうちいずれか１項に記載の考案において、星座を観察する際に手助けとなる情報を前記回転板の表面よりも前記カバーに多く設けたことをその要旨とする。
【０００９】
請求項６に記載の考案は、星座を観察する際に用いられる星座早見盤であって、支軸を中心に回転する回転板を備え、前記回転板の表面には複数種類の色で着色された複数個の星が図示され、前記星は夜空の星の色彩に近似した色で着色されていることをその要旨とする。
【考案の効果】
【００１０】
本考案によれば、天体の観察活動において、目的の星や星座を容易に見つけることができる。
【考案を実施するための最良の形態】
【００１１】
以下、本考案を具体化した星座早見盤の一実施形態を図１〜図３に従って説明する。
図１に示すように、星座早見盤１０は、円形を有する回転板としての星座盤１１と、シート材１３と、２つ折りにしてなる保持部材１５とを備えている。星座盤１１は厚紙や樹脂シート等から形成され、シート材１３及び保持部材１５はいずれも合成樹脂製の樹脂シートから形成されている。星座早見盤１０は、星座盤１１の表面にシート材１３を配置し、同星座盤１１の裏面に保持部材１５を配置し、これらの両側縁をシール１９で接着することにより形成されている。星座盤１１は、その回転中心である北極星付近の位置に形成された貫通孔１１ａと、保持部材１５の端部中央に設けられた貫通孔１５ａとが、支軸としての雄型スナップファスナ１６ａの基端部１６ｃにより回転可能に保持されている。
【００１２】
図２に示すように、シート材１３の中央部には、略楕円形状の星座観察窓１２が設けられている。シート材１３において、星座観察窓１２の周囲には方位を示す東西南北が表示され、外周部１４付近には観察時刻を示す時刻目盛り２１が表示されている。又、星座観察窓１２には、星座盤１１の回転中心、即ち北極星付近の位置に雄型スナップファスナ１６ａが設けられている。
【００１３】
保持部材１５は、星座盤１１を回動可能に保持する保持部１７と、シート材１３の下部を被覆するための保持部１７に対し折り曲げ可能なカバー１８とを備えている。保持部材１５のカバー１８には、緑色の半透明な着色フィルムにより構成されたマスキング用観察窓２２が設けられている。このマスキング用観察窓２２には、星座を観察する際に手助けとなる情報としての天頂点２５、高度目盛り２６ａ、方位線２６ｂ、木や建物や山等のシルエットが描かれた地平線２７等が表示されている。
【００１４】
マスキング用観察窓２２は、星座観察窓１２とほぼ同形状でかつ同寸法に形成されており、保持部材１５の折り目２４に対し、前記星座観察窓１２と対称な位置関係で配置されている。この場合、保持部材１５の折り目２４がヒンジとしての機能を発揮している。保持部材１５の折り目２４には、中央と、その両側に、補強を目的としてシール２８が貼着されている。
【００１５】
マスキング用観察窓２２において、雄型スナップファスナ１６ａと対応する位置には雌型スナップファスナ１６ｂが設けられている。このため、図２（ｂ）に示すように、雄型スナップファスナ１６ａと雌型スナップファスナ１６ｂとを係止させて、保持部材１５のカバー１８をシート材１３に対し装着することにより、星座観察窓１２とマスキング用観察窓２２とを重ね合わせることができる。
【００１６】
図３（ａ）に示すように、星座盤１１の表面には、年間を通して観察することができる星３１や星座３２が網羅して表示されている。星座盤１１の表面には、１等星〜４等星程度までの明るさの星３１が表示されており、これらの星３１は、濃い青色に着色された背景に、その明るさに応じて色や形状を異ならせて表示されている。又、星座盤１１には、星３１と星３１とを線で繋ぐことで星座３２が表示されている。
【００１７】
第１の星としての３等星３１ｃ、４等星３１ｄを表示する星３１は、第１の色（例えば、赤やピンク色等）で着色された丸印として表示されている。第１の色は、マスキング用観察窓２２を構成する着色フィルムの色とほぼ補色の関係にある。尚、ここで言う補色とは、色相環で対向位置にある色のことを指す。この場合、３等星３１ｃは、４等星３１ｄよりも少し大きめに表示されている。又、３等星３１ｃ、４等星３１ｄで構成された星座３２（例えば、山羊座、てんびん座等）は、星３１と星３１とを繋ぐ線が薄い青色で表示されている。
【００１８】
第２の星としての１等星３１ａ、２等星３１ｂを表示する星３１は、マスキング用観察窓２２を通して視認可能な第２の色（例えば、白や黄色等）で着色された星印として表示されている。この場合、１等星３１ａと２等星３１ｂとを異なった星印で表示している。
【００１９】
又、１等星３１ａ、２等星３１ｂを中心に構成された、例えば、教科書に掲載されるような代表的な星座３２（例えば、カシオペヤ、北斗七星（おおぐま座）、さそり座等）は、星３１と星３１とを繋ぐ線が第２の色（例えば、白や黄色等）で着色されている。この場合、星座３２を構成する星３１は、３等星３１ｃ、４等星３１ｄであっても第２の色で着色されている。
【００２０】
上述のように、星座盤１１には、第１の色と第２の色とで着色された複数個の星３１や星座３２が図示されている。本実施形態において、１等星３１ａの中央部には円部３３が設けられており、この円部３３は、夜空の星の色彩に近似した色（例えば、赤、青、黄等）で着色されている。
【００２１】
次に、星座早見盤１０の使用方法について説明する。
まず、図２（ａ），図３（ａ）に示すように、保持部材１５のカバー１８を閉じた状態では、星座盤１１上の星３１や星座３２が星座観察窓１２とマスキング用観察窓２２とを介して視認可能となっている。この場合、マスキング用観察窓２２は緑色の半透明色であるため、この緑色と補色の関係にある第１の色で着色された３等星３１ｃ、４等星３１ｄ及びこれらの星３１で構成された星座３２は、背景の濃い青い色とほぼ同じ色になり見えにくくなる。又、上記星座３２において、薄い青色で表示された星３１と星３１とを繋ぐ線も見えにくくなる。
【００２２】
一方、第２の色で着色された１等星３１ａ、２等星３１ｂ及びこれらの星３１で構成された星座３２は、マスキング用観察窓２２を介して視認可能な第２の色で着色されている。このため、保持部材１５のカバー１８を閉じた状態では、１等星３１ａ、２等星３１ｂ及びこれらの星３１で構成された星座３２のみを顕著に目立たせることができる。又、マスキング用観察窓２２には、天頂点２５、高度目盛り２６ａ等の情報が表示されているため、星座盤１１と夜空とを照らし合わせることにより、星３１や星座３２の位置や動きを観察し易くなっている。
【００２３】
続いて、図２（ｂ），図３（ｂ）に示すように、保持部材１５のカバー１８が開いた状態では、星座盤１１上の星３１や星座３２が星座観察窓１２のみを介して視認可能となっている。この場合、星座観察窓１２は透明色であるため、第２の色で着色された１等星３１ａ、２等星３１ｂ及びこれらの星３１で構成された星座３２と、第１の色で着色された３等星３１ｃ、４等星３１ｄ及びこれらの星３１で構成された星座３２とを共に観察することができる。又、星座観察窓１２には、天頂点２５、高度目盛り２６ａ等が表示されていないため、星座盤１１に網羅して表示された星３１や星座３２が見易くなっている。
【００２４】
上記実施形態の星座早見盤１０によれば、以下のような効果を得ることができる。
・マスキング用観察窓２２を構成する着色フィルムは緑色の半透明色を有しており、この色は、３等星３１ｃ、４等星３１ｄを示す第１の色と補色の関係にある。このため、星座観察窓１２とマスキング用観察窓２２とを重ね合わせることによって、３等星３１ｃ、４等星３１ｄ及びこれらの星３１で構成された星座３２を間引くことができ、１等星３１ａ、２等星３１ｂ及びこれらの星３１で構成された星座３２のみ顕著に目立たせることができる。よって、星の学習をする児童が天体の観察活動を行う際に、教科書に掲載されるような主要な星３１や星座３２等を容易に見つけることができる。又、星座観察窓１２とマスキング用観察窓２２とを重ね合わせることにより、肉眼で見える星３１や星座３２と、星座盤１１上の星３１や星座３２とのギャップを小さく抑えることができる。よって、夜の空が明るい都会において、星３１や星座３２の観察活動に支障をきたすことが無くなる。
【００２５】
・１等星３１ａの中央部の円部３３は、夜空の星の色彩に近似した色（例えば、赤、青、黄等）で着色されている。このため、星座盤１１上の星３１の色と実際に見える星３１の色とを照らし合わせることで、目的の星３１や星座３２を容易に特定することができる。よって、天体の観察活動において、目的の星３１や星座３２を見つけることがより一層容易になる。
【００２６】
・マスキング用観察窓２２には、星座を観察する際に手助けとなる情報として、天頂点２５、高度目盛り２６ａ、方位線２６ｂ、地平線２７等が表示されているため、星座盤１１と夜空とを照らし合わせることにより、目的の星３１や星座３２の位置や動きを容易に把握することができる。特に、地平線２７には木や建物や山等のシルエットが描かれており、児童にとってイメージし易くなっているため、星座盤１１と現実の夜空とを対比する際に助けとなり、理科教材として好適な星座早見盤１０を実現することができる。一方、星座観察窓１２には、天頂点２５、高度目盛り２６ａ、方位線２６ｂ、地平線２７等が表示されていないため、カバー１８を開いて星座早見盤１０を使用することにより、星座盤１１に網羅して表示された星３１や星座３２を見易くすることができる。
【００２７】
・星座早見盤１０は、雄型スナップファスナ１６ａと雌型スナップファスナ１６ｂとによって、保持部材１５のカバー１８がシート材１３に対し着脱可能となっている。このため、夜の空が明るい都会においては、カバー１８をシート材１３に装着しながら天体の観察活動を行うができ、夜間の空が暗い郊外においては、カバー１８をシート材１３から外して天体の観察活動を行うことができる。よって、屋外で星座早見盤１０を使用する際、その使い易さを向上させることができる。
【００２８】
・マスキング用観察窓２２は、緑色の半透明な着色フィルムによって構成されているため、カバー１８を閉じた状態であっても、星座盤１１全体が暗くなりすぎることはない。このため、星座早見盤１０を使用する際、星座盤１１上の星３１や星座３２を見易くすることができる。
【００２９】
なお、上記実施形態は以下のように変更してもよい。
・本実施形態において、第１の星として３等星３１ｃ、４等星３１ｄを表示し、第２の星として１等星３１ａ、２等星３１ｂを表示していたが、第１の星と第２の星とを、任意の等級（１等星〜４等星程度までの明るさ）で区分けしてもよい。
【００３０】
・本実施形態において、着色フィルムで構成されたマスキング用観察窓２２は、シート材１３の星座観察窓１２とほぼ同形状でかつ同寸法に形成されていたが、カバー１８全体を着色フィルムで形成することにより、同カバー１８全体をマスキング用観察窓２２としてもよい。
【００３１】
・本実施形態において、３等星３１ｃ、４等星３１ｄを示す色は赤やピンク色であったが、マスキング用観察窓２２を構成する着色フィルムの色とほぼ補色の関係にある色にあれば、任意の色に設定してもよい。又、マスキング用観察窓２２を構成する着色フィルムは緑色の半透明であったが、３等星３１ｃ、４等星３１ｄを示す色と補色の関係にあれば、任意の色に設定してもよい。
【００３２】
・本実施形態において、１等星３１ａ、２等星３１ｂは白や黄色等で着色されていたが、マスキング用観察窓２２を構成する着色フィルムを通して視認可能な色であれば、任意の色に設定することができる。
【００３３】
・本実施形態において、夜空の星の色彩に近似した色で１等星３１ａの中央部を着色していたが、２等星３１ｂよりも暗い星３１についても同様に着色してもよい。
・本実施形態において、星座早見盤１０は、シート材１３及び保持部材１５の両側縁をシール１９で接着することにより形成されていたが、接着剤やクリップ等を用いてもよい。
【００３４】
・本実施形態において、保持部材１５のカバー１８をシート材１３に対し着脱可能とする手段として雄型スナップファスナ１６ａと雌型スナップファスナ１６ｂとが用いられていたが、面ファスナや磁石等を用いてもよい。又、シート材１３に切り込みを設けることにより、この切り込みに対し保持部材１５のカバー１８の先端部を直接差し込めるようにしてもよい。
【００３５】
・本実施形態において、３等星３１ｃ、４等星３１ｄで構成された星座３２において、星３１と星３１とを繋ぐ線が薄い青色で表示されていたが、この線を星３１の色と同じ第１の色で表示してもよい。
【００３６】
・本実施形態において、マスキング用観察窓２２には、天頂点２５、高度目盛り２６ａ、方位線２６ｂ、地平線２７等が設けられていたが、これらのうち少なくとも一つを星座観察窓１２に設けてもよい。
【００３７】
・本実施形態において、星座早見盤１０は、カバー１８が前後方向に開閉するように構成されていたが、同カバー１８を左右方向に開閉するように構成してもよい。又、カバー１８を保持部材１５のコーナー部を支点として、斜めに開閉するように構成してもよい。更には、星座早見盤１０とカバー１８とを分離可能としてもよい。
【００３８】
・本実施形態において、星座早見盤１０は、星座盤１１の回転中心が北極星付近である北半球にて使用されるものとして形成されていたが、南半球にて使用されるものに変更してもよい。
【図面の簡単な説明】
【００３９】
【図１】本実施形態における星座早見盤の分解斜視図。
【図２】（ａ）はカバーを装着した状態での星座早見盤の平面図。（ｂ）はカバーを外した状態での星座早見盤の平面図。
【図３】（ａ）はカバーを装着した状態で星座観察窓から見える星座盤の拡大平面図。（ｂ）はカバー部を外した状態で星座観察窓から見える星座盤の拡大平面図。
【符号の説明】
【００４０】
１０…星座早見盤、１１…星座盤（回転板）、１２…星座観察窓、１６ｃ…基端部１６ｃ、１８…カバー、３１…星、３２…星座。
【図１】
0003101318.tif 000003
【図２】
0003101318.tif 000004
【図３】
0003101318.tif 000005